(57)【特許請求の範囲】
【請求項１】
観察物の実像を形成する対物レンズ群と；この対物レンズ群による実像の上下左右を反転する４面の反射面を備えたプリズムと；反転された実像を観察する接眼レンズ群とを備えた実像式ファインダにおいて、
接眼レンズ群が、両面が非球面からなり、凸面を物体側に向けた正メニスカスレンズから構成され、かつ下記条件式（１）及び（２）を満足することを特徴とする実像式ファインダ。
（１）０．００９１ｆｅ  ／（Ｄ−２．０８）＜ΔＸ２  ＜０．０１４  ｆｅ  ／（Ｄ−２．０８）
（２）０．００１１７  ｆｅ  ／（Ｄ−２．９０）＜ΔＸ１  ＜０．００１７９  ｆｅ  ／（Ｄ−２．９０）
但し、
ΔＸ１  ；正メニスカスレンズの第１面の非球面量、
ΔＸ２  ；正メニスカスレンズの第２面の非球面量、
ｆｅ  ；接眼レンズ群の焦点距離、
Ｄ；接眼レンズ群の厚さ。
【請求項２】
請求項１において、４面反射プリズムの入射面は、非球面からなっていて、下記条件式（３）を満足する実像式ファインダ。
（３）０＜ΔＸ３  ＜０．０３４  ｆｅ
但し、
ΔＸ３  ；４面反射プリズムの入射面の非球面量。
【発明の詳細な説明】
【０００１】
【技術分野】
本発明は、ポロプリズム（４面反射プリズム）を有する実像式ファインダに関する。
【０００２】
【従来技術及びその問題点】
対物レンズ群による観察物の実像の上下左右を、ポロプリズムの４つの反射面を介して反転し、これを接眼レンズ群を介して観察する実像式ファインダは、公知である。この実像式ファインダでは従来、対物レンズ群による像を結像させる焦点板はポロプリズム入射面またはコンデンサレンズの射出面に置かれ、コンデンサレンズとポロプリズムは接近して配置されるのが一般的であった。ところが最近、ファインダ内表示を行なわせるため、焦点板に代えて、液晶焦点板や偏光板を置くことが提案されており、この場合には、対物レンズ群とポロプリズムとの間に、大きい空間を確保することが必要となる。しかるに、従来のこの種の実像式ファインダにおいて、単純に対物レンズ群とポロプリズムとの間隔を広げると、倍率の低下やアイレリーフが短くなるという問題があった。
【０００３】
【発明の目的】
本発明は、対物レンズ群とポロプリズムとの間隔を大きくしながら、必要な倍率とアイレリーフを確保し、かつ像性能も良好に保つことができる実像式ファインダを得ることを目的とする。
【０００４】
【発明の概要】
本発明は、対物レンズ群と、４面反射プリズムと、接眼レンズ群とを備えた実像式ファインダにおいて、接眼レンズ群を、両面が非球面からなり、凸面を物体側に向けた正メニスカスレンズから構成し、かつ次の条件式（１）及び（２）を満足するようにしたことを特徴としている。
（１）０．００９１ｆｅ  ／（Ｄ−２．０８）＜ΔＸ２  ＜０．０１４  ｆｅ  ／（Ｄ−２．０８）
（２）０．００１１７  ｆｅ  ／（Ｄ−２．９０）＜ΔＸ１  ＜０．００１７９  ｆｅ  ／（Ｄ−２．９０）
但し、
ΔＸ１  ；正メニスカスレンズの第１面の非球面量、
ΔＸ２  ；正メニスカスレンズの第２面の非球面量、
ｆｅ  ；接眼レンズ群の焦点距離、
Ｄ；接眼レンズ群の厚さ、
である。
ΔＸｎ  は次式で与えられる。
【０００５】
【式１】
0003626518.tif 000002
但し、
ｎ＝１，２，３
Ｃ；１／ｒ（ｒ：近軸の曲率半径）
ｈ；０．１９ｆｅ
【０００６】
本発明の実像式ファインダにおいては、さらに、４面反射プリズムの入射面を、非球面から構成し、次の条件式（３）を満足させることが好ましい。
（３）０＜ΔＸ３  ＜０．０３４  ｆｅ
但し、
ΔＸ３  ；４面反射プリズムの入射面の非球面量、
である。
【０００７】
【発明の実施例】
図１は、本発明の実像式ファインダの概念図であり、物体側から、対物レンズ群１１、焦点板１２、４面反射プリズム（ポロプリズム）１３、及び接眼レンズ群１４から構成されている。対物レンズ群１１による観察物の実像は、焦点板１２上に結像する。４面反射プリズム１３は、その４つの反射面により、この実像の上下左右を反転して正立像とし、その正立像が接眼レンズ群１４を介して観察される。焦点板１２は、例えば液晶焦点板から構成される。
【０００８】
本発明は、以上の基本構造を有する実像式ファインダにおいて、焦点板１２の光軸方向厚さが厚い場合に、対物レンズ群１１と４面反射プリズム１３の入射面１３ａとの間に十分なスペースを確保しながら、必要な倍率とアイレリーフを確保するために、接眼レンズ群１４を、両面が非球面からなり、凸面を物体側に向けた正メニスカスレンズから構成し、かつ条件式（１）及び（２）を満足させた点に第一の特徴がある。
【０００９】
条件式（１）及び（２）は、正メニスカスレンズ１４の第１面と第２面の非球面量を規定したものである。正メニスカスレンズ１４は、第１面を凸、第２面を凹とすることで、対物レンズの焦点位置から正メニスカスレンズ１４の第１面迄の間隔を長くとることができる。しかし、第１面の凸面により球面収差がオーバーに発生する傾向となる。本発明は、この球面収差を、周辺部程、曲率半径が小さくなる、発散性の第２面の非球面で補正する。しかし、周辺部程、曲率半径が小さくなる非球面は、周辺で像面湾曲がアンダーになる（補正が過剰になる）傾向となり、このため、本発明はさらに第１面を周辺部の曲率半径が小さくなる非球面で補正するようにしている。
【００１０】
図６は、非球面量を定義する図である。非球面量は、近軸球面（ベース面）を修正して構成されている面であるが、非球面量は、同図に示すように、
非球面量＝非球面のザグ量−ベース球面のザグ量
（ザグ量は、光軸と直交するレンズとの接平面からレンズ迄の距離）で定義される量である。非球面量のプラスは非球面がベース球面よりも像側に位置している場合、同マイナスは非球面がベース球面よりも物体側に位置している場合をいう。また、『発散性の非球面』とは、ベース球面の面屈折力に発散性を付与する非球面の意であり、『収束性の非球面』とは、ベース球面の面屈折力に収束性を付与する非球面の意である。
【００１１】
従って、条件式（１）の下限を越えると、補正が不足して球面収差がオーバーになり、同上限を越えると、補正が過剰になって球面収差がアンダーになるため好ましくない。また条件式（２）の下限を越えると、補正が過剰となって像面湾曲がアンダーとなり、同上限を越えると、補正が不足して像面湾曲がオーバーになるため好ましくない。また、非球面量を計算するための光軸からの高さｈについては、長辺方向の最大長さとした。そこで多くの例では、長辺方向の見かけ視界は９゜程度、ｆｅ  は２０ｍｍ程度であり、アイレリーフを１５ｍｍ、人の瞳の半径を１．５ｍｍとすれば、
ｈ＝１５・ｔａｎ  ９゜  ＋１．５＝３．８６＝０．１９ｆｅ
となる。
【００１２】
次に本発明は、４面反射プリズム１３の入射面１３ａを非球面からなる凸面とし、条件式（３）を満足させたことに特徴がある。４面反射プリズム１３の入射面１３ａに正のパワーを持たせると、焦点板１２の直前にコンデンサレンズを設ける必要がなくなり、スペースが確保できる。また、４面反射プリズム１３と正メニスカスレンズ１４の合成焦点距離よりも、正メニスカスレンズ１４単独の焦点距離が長くなるので、焦点板１２と４面反射プリズム１３間に広いスペースを確保できる。一方、この入射面１３ａの曲率半径を小さくすると、凸部の中心厚が大きくなり、焦点板１２と入射面１３ａの間隔が狭くなる。逆に曲率半径を大きくすると、コンデンサレンズとしての効果が弱まり、射出面１３ｂの周辺で有害反射が生じ、ゴーストの原因となる。つまり、周辺を通る光束が光軸からより離れたところを通るため、プリズムの側面に当たってゴーストの原因となる。本発明は、入射面１３ａを、周辺程、曲率半径が小さくなる非球面から構成することにより、凸部中心厚を小さくし、かつゴーストの原因をなくしたものである。
【００１３】
条件式（３）の下限を越えると非球面でないから、以上の作用が得られず、上限を越えると、アイレリーフが小さくなり過ぎる。
【００１４】
次に具体的な数値実施例について本発明を説明する。
［実施例１］
図２は、本発明の実像式ファインダの第１の実施例を示すレンズ構成図である。表１にそのレンズデータを示し、図３にその諸収差図を示す。諸収差図中、Ｓはサジタル、Ｍはメリディオナルを示している。表および図面中、ＥＲは射出瞳径、Ｍ  は倍率、Ｂ  は見掛け視界（半視界）を表す。Ｒは曲率半径、Ｄはレンズ間隔、Ｎｄ  はｄ線の屈折率、νｄ  はｄ線のアッベ数を示す。
【００１５】
【表１】
0003626518.tif 000003
これらの非球面量は、いずれも条件式（１）ないし（３）に適合している。
【００１６】
［実施例２］
0003626518.tif 000004
これらの非球面量は、いずれも条件式（１）ないし（３）に適合している。
【００１７】
【発明の効果】
本発明によれば、対物レンズ群と４面反射プリズムとの間隔を大きくしながら、必要な倍率とアイレリーフを確保し、かつ像性能も良好に保つことができる実像式ファインダを得ることができる。
【図面の簡単な説明】
【図１】本発明による実像式ファインダの概念図である。
【図２】本発明による実像式ファインダの第１の実施例を示すレンズ構成図である。
【図３】図２のファインダ系の諸収差図である。
【図４】本発明による実像式ファインダの第２の実施例を示すレンズ構成図である。
【図５】図４のファインダ系の諸収差図である。
【図６】非球面量を説明する図である。
【符号の説明】
１１  対物レンズ群
１２  焦点板
１３  ４面反射プリズム（ポロプリズム）
１３ａ  入射面
１３ｂ  射出面
１４  正メニスカスレンズ（接眼レンズ群）
【図１】
0003626518.tif 000005
【図２】
0003626518.tif 000006
【図３】
0003626518.tif 000007
【図４】
0003626518.tif 000008
【図５】
0003626518.tif 000009
【図６】
0003626518.tif 000010